(57)【要約】      （修正有） 【課題】急な用件で素早く取り出さなくてはならない場合や、利き手以外の手などで取り出しにくい状況であっても、収納部から収納物を素早く簡単に取り出すことができる財布を提供する。【解決手段】札入れ部１１と、札入れ部の厚さ方向側面部外方へ突出して設けられ、札入れ部よりも小型の薄形直方体形状の収納物を収納しうる収納部１３とを有する。札入れ部は薄形直方体形状に形成され、また収納部は札入れ部よりも小型の薄形直方体形状に形成される。さらに収納物を出し入れしうる開口部２７と、開口部に対向する部位に形成され、使用者の指を挿入して収納物を開口部方向に向かって押しうる穴部とを有することを特徴とする。【選択図】図１
0003184575.tif 000002
【実用新案登録請求の範囲】
【請求項１】
札入れ部と、上記札入れ部の厚さ方向側面部外方へ突出して設けられ、上記札入れ部よりも小型の薄形直方体形状の収納物を収納しうる収納部とを有し、上記札入れ部は薄形直方体形状に形成されると共に上記収納部は上記札入れ部よりも小型の薄形直方体形状に形成され、
上記収納部は、収納物を出し入れしうる開口部と、上記開口部に対向する部位に形成され、使用者の指を挿入して収納物を開口部方向に向かって押しうる穴部とを有することを特徴とする財布。
【請求項２】
上記札入れ部は、札入れ部本体と、上記札入れ部本体を開閉可能に被覆する被覆部とを備え、上記札入れ部の開口部は被覆部の長辺部側に設けられていると共に、上記収納部の開口部も上記被覆部の長辺部側に設けられていることを特徴とする請求項１記載の財布。
【請求項３】
上記収納部の開口部は、上記被覆部の短辺部側に設けられていることを特徴とする請求項１記載の財布。
【請求項４】
上記開口部には、開口部を開閉可能に被覆するフラップ部が設けられていることを特徴とする請求項１記載の財布。
【請求項５】
上記収納物は、携帯電話機であることを特徴とする請求項１記載の財布。
【請求項６】
上記収納物は、カメラであることを特徴とする請求項１記載の財布。
【考案の詳細な説明】
【技術分野】
【０００１】
本考案は、財布の改良に関する。
【背景技術】
【０００２】
今日、スマートフォン等の携帯電話機が急速に普及し拡大しつつあるが、それに伴い軽量、小型化がすすみ、携帯性が飛躍的に向上したため、生活必需品としての度合いが高まり、人によっては財布の様に必携品の一つになりつつある。
【０００３】
一方、携帯電話機と財布の携帯方法としては、外出する際に携帯電話機と財布が独立したまま別々に持ち歩いたり、衣服のポケットや、バッグ等、時には手で直接携帯する等されており、定型化しておらず、携帯者個人がその時々の状況判断で携帯方法を選択していた。
【０００４】
このような観点から、人々が日常の必携品として携帯する財布とスマートフォンを別途に持つ煩雑さを避けるために、スマートフォンを収納できるよう構成された、財布本体の中間部にスマートフォン収納体が設けられた財布、また、財布本体の側部にスマートフォン収納体が設けられた財布、そして、財布の片方の内側カバー部にスマートフォン収納体が設けられた財布が知られている（特許文献１）。
【特許文献１】実用新案登録第3177901号公報
【考案の開示】
【考案が解決しようとする課題】
【０００５】
しかしながら、前記した財布のスマートフォン収容体は、スマートフォン一機を収容しうる程度の大きさで、薄厚の側面略長方形状に形成されており、一機のスマートフォンを収納した場合には、スマートフォン収容体を構成する収容体各片部との間に、余り空隙部は形成されない状態となる。
【０００６】
その結果、スマートフォンの取り出し時に、指が収容体各片部とスマートフォンとの間に入り難く、急な用件や、利き手以外の手でスマートフォンを取り出す必要が生じた際、スマートフォン収納体からスマートフォンを素早く簡単に取り出し難い場合があった。
【０００７】
本考案はこのような従来からの不具合を解決するためのものであって、その課題は、急な用件で素早く取り出さなくてはならない場合や、利き手以外の手などで取り出しにくい状況であっても、収納部から収納物を素早く簡単に取り出すことができる財布を提供することにある。
【課題を解決するための手段】
【０００８】
上記課題達成のため、請求項１記載の考案にあっては、札入れ部と、上記札入れ部の厚さ方向側面部外方へ突出して設けられ、上記札入れ部よりも小型の薄形直方体形状の収納物を収納しうる収納部とを有し、上記札入れ部は薄形直方体形状に形成されると共に上記収納部は上記札入れ部よりも小型の薄形直方体形状に形成され、
上記収納部は、収納物を出し入れしうる開口部と、上記開口部に対向する部位に形成され、使用者の指を挿入して収納物を開口部方向に向かって押しうる穴部とを有することを特徴とする。
【０００９】
請求項２記載の考案にあっては、上記札入れ部は、札入れ部本体と、上記札入れ部本体を開閉可能に被覆する被覆部とを備え、上記札入れ部の開口部は被覆部の長辺部側に設けられていると共に、上記収納部の開口部も上記被覆部の長辺部側に設けられていることを特徴とする。
【００１０】
請求項３記載の考案にあっては、上記収納部の開口部は、上記被覆部の短辺部側に設けられていることを特徴とする。
【００１１】
請求項４記載の考案にあっては、上記開口部には、開口部を開閉可能に被覆するフラップ部が設けられていることを特徴とする。
【００１２】
請求項５記載の考案にあっては、上記収納物は、携帯電話機であることを特徴とする。
【００１３】
請求項６記載の考案にあっては、上記収納物は、カメラであることを特徴とする。
【考案の効果】
【００１４】
請求項１記載の考案にあっては、上記収納部が、収納物を出し入れしうる開口部と、上記開口部に対向する部位に形成され、使用者の指を挿入して収納物を開口部方向に向かって押しうる穴部とを有しているため、上記収納部から上記収納部の中で密接に収納されうるように収納されている収納物を取り出す場合、上記穴部から指を挿入して収納物を上記開口部方向へ押し上げ、上記開口部から収納物を現出させることで、現出した収納物を手で引き抜くことができる。
その結果、上記収納部が収納物を余り空隙部が形成されない状態で収納しうる程度の大きさに形成されていた場合であっても、煩雑な作業を回避し、素早く簡単に上記収納部から収納物を取り出すことができる。
【００１５】
請求項２記載の考案にあっては、上記札入れ部は、札入れ部本体と、上記札入れ部本体を開閉可能に被覆する被覆部とを備え、上記札入れ部の開口部は被覆部の長辺部側に設けられていると共に、上記収納部の開口部が上記被覆部の長辺部側に設けられ、上記収納部の開口部は、上記札入れ部の開口部と同一方向を向いて形成されていることから、使用者は札の出し入れと収納物の出し入れを、同じ方向から行うことができる使い易い財布を提供することができる。
【００１６】
請求項４記載の考案にあっては、上記開口部には、開口部を開閉可能に被覆するフラップ部が設けられているため、開口部をフラップ部で被覆することで、収納物が上記収納部から飛びだすことを防ぐことができる。
【図面の簡単な説明】
【００１７】
【図１】本考案に係る財布の第一の実施の形態を示す斜視図である。
【図２】本考案に係る財布の第一の実施の形態を示す正面図である。
【図３】本考案に係る財布の第一の実施の形態を示す底面図である。
【図４】本考案に係る財布の第二の実施の形態を示す斜視図である。
【図５】本考案に係る財布の第二の実施の形態を示す正面図である。
【図６】本考案に係る財布の第二の実施の形態を示す底面図である。
【考案を実施するための最良の形態】
【００１８】
以下、添付図面に示す実施の形態に基づき、本考案を詳細に説明する。
【００１９】
図１乃至図３は、本考案に係る財布の第一の実施の形態が示されている。
図１に示すように、本実施の形態に係る財布１０は、薄形直方体形状の札入れ部１１と、札入れ部１１の厚さ方向側面部１２の外方へ突出して設けられた収納部１３から構成されている。
【００２０】
図１に示すように、本実施の形態に係る財布１０の札入れ部１１は、薄形直方体形状に形成され、札入れ部本体１４と、札入れ部本体１４の長辺部１５と、長辺部１５に連設する一対の対向する短辺部１６，１６とにおいて開閉可能に被覆する線ファスナー１７を有する被覆部１８とを有しており、線ファスナー１７を開くことにより被覆部１８の長辺部１５及び一対の短辺部１６，１６において開口する開口部１９が形成される。
【００２１】
図１に示すように、本実施の形態に係る財布１０の札入れ部本体１４は、硬貨を収納可能な線ファスナー２０を有する貨幣収納部２１と、貨幣収納部２１の厚さ方向両側に配置され、紙幣を収納可能な第一の紙幣収納部２２，２２とを備えている。
【００２２】
また、第一の紙幣収納部２２，２２の貨幣収納部２１の厚さ方向外方には、紙幣を収納可能な第二の紙幣収納部２３，２３が設けられ、第二の紙幣収納部２３，２３のさらに厚さ方向外方であって、被覆部１８を形成する側板部２４a，２４bの内側には、保険証や身分証などのカードを差し込んで収納可能なカード用複数収納部２５が設けられている。
【００２３】
上記のように、本実施の形態に係る財布１０は、札入れ部１１にある線ファスナー１７を開口部１９が現出するよう開くと、貨幣収納部２１、第一の紙幣収納部２２，２２、第二の紙幣収納部２３，２３及びカード用複数収納部２５が現出する。
【００２４】
現出した貨幣収納部２１、第一の紙幣収納部２２，２２、第二の紙幣収納部２３，２３及びカード用複数収納部２５には、貨幣や紙幣またはカードを収納することができる。
【００２５】
図１、図２に示すように、本実施の形態に係る財布１０の収納部１３は、札入れ部１１よりも小型の薄形直方体形状に形成されている。
【００２６】
本実施の形態にあっては、収納部１３は、札入れ部１１の短辺部１６と略同じ幅寸法を有し、側方被覆部１８aの略中央に設けられている。
【００２７】
図３に示すように、収納部１３の厚さ寸法は、携帯電話機２６を収納しうる大きさに形成されている。
【００２８】
また、図１、図２に示すように、収納部１３には、携帯電話機２６を出し入れしうる開口部２７が被覆部１８の長辺部１５側に設けられている。
【００２９】
図２に示すように、本実施の形態に係る財布１０の収納部１３は、開口部２７に対向して収納部１３の幅方向一端部２８の中央部に設けられた、使用者の指を挿入して携帯電話機２６を開口部方向に向かって押しうる全体略長方形状の穴部２９a及び、幅方向一端部２８の両端部に設けられた穴部２９b，２９cを有している。
【００３０】
したがって、収納部１３から、収納部１３の中で密接に収納されうるように収納されている携帯電話機２６を取り出す場合、穴部２９a，２９b，２９cから指を挿入して携帯電話機２６を開口部方向へ押し上げ、開口部２７から携帯電話機２６を現出させることで、携帯電話機２６を手で引き抜くことができる。
【００３１】
その結果、収納部１３が、収納された携帯電話機２６との間で余り空隙部が形成されない状態で収納しうる程度の大きさに形成されていた場合であっても、煩雑な作業を回避し、素早く簡単に収納部１３から携帯電話機２６を取り出すことができる。
【００３２】
図１に示すように、本実施の形態に係る財布１０の収納部１３には、収納部１３の厚さ方向一端部側の内側面部３０に、開口部２７を開閉可能に被覆する全体略長方形状のフラップ部３１が設けられている。
【００３３】
また、図１乃至図３に示すように、本実施の形態に係る財布１０の収納部１３には、収納部１３の厚さ方向他端部側の外側面部３２に係合片部３３が設けられ、フラップ部３１の幅方向一端部３４に係合部３５が設けられている。
【００３４】
したがって、収納部１３に携帯電話機２６が収納されている場合、収納部１３の開口部２７をフラップ部３１で被覆し、係合片部３３と係合部３５を係合させることで、携帯電話機２６が収納部１３から飛びだすことを防ぐことができる。
【００３５】
また、本実施の形態に係る財布１０は、札入れ部１１に貨幣や紙幣またはカードを収納することができると共に、収納部１３に携帯電話機２６を出し入れすることができる。
【００３６】
図４乃至図６は、本考案に係る財布の第二の実施の形態が示されている。
【００３７】
図４に示すように、本実施の形態に係る財布５０は、薄形直方体形状の札入れ部５１と、札入れ部５１の厚さ方向側面部５２の外方へ突出して設けられた収納部５３から構成されている。
【００３８】
図４に示すように、本実施の形態に係る財布５０の札入れ部５１は、薄形直方体形状に形成され、札入れ部本体５４と、札入れ部本体５４の長辺部５５と、長辺部５５に連設する一対の対向する短辺部５６a，５６bとにおいて開閉可能に被覆する線ファスナー５７を有する被覆部５８とを有しており、線ファスナー５７を開くことにより被覆部５８の長辺部５５及び一対の短辺部５６a，５６bにおいて開口する開口部５９が形成される。
【００３９】
図４に示すように、本実施の形態に係る財布５０の札入れ部本体５４は、硬貨を収納可能な線ファスナー６０を有する貨幣収納部６１と、貨幣収納部６１の厚さ方向両側に配置され、紙幣を収納可能な第一の紙幣収納部６２，６２とを備えている。
【００４０】
また、第一の紙幣収納部６２，６２の貨幣収納部６１の厚さ方向外方には、紙幣を収納可能な第二の紙幣収納部６３，６３が設けられ、第二の紙幣収納部６３，６３のさらに厚さ方向外方であって、被覆部５８を形成する側板部６４a，６４bの内側には、保険証や身分証などのカードを差し込んで収納可能なカード用複数収納部６５が設けられている。
【００４１】
上記のように、本実施の形態に係る財布５０は、札入れ部５１にある線ファスナー５７を開口部５９が現出するよう開くと、貨幣収納部６１、第一の紙幣収納部６２，６２、第二の紙幣収納部６３，６３及びカード用複数収納部６５が現出する。
【００４２】
現出した貨幣収納部６１、第一の紙幣収納部６２，６２、第二の紙幣収納部６３，６３及びカード用複数収納部６５には、貨幣や紙幣またはカードを収納することができる。
【００４３】
図４、図５に示すように、本実施の形態に係る財布５０の収納部５３は、札入れ部５１よりも小型の薄形直方体形状に形成されている。
【００４４】
本実施の形態にあっては、収納部５３は、札入れ部５１の一方の短辺部５６aと略同じ幅寸法を有し、側方被覆部５８aの一方の短辺部５６aに、収納部５３の長さ方向一端部６６が合わせて配置され、側方被覆部５８aの長さ方向において約３分の２を被覆する程度の大きさに形成されている。
【００４５】
図６に示すように、収納部５３の厚さ寸法は、いわゆるコンパクトデジタルカメラ６７を収納しうる程度の大きさに形成されている。
【００４６】
また、図４、図５に示すように、収納部５３には、コンパクトデジタルカメラ６７を出し入れしうる開口部６８が被覆部５８の他方の短辺部５６b側に設けられている。
【００４７】
図４、図５に示すように、本実施の形態に係る財布５０の収納部５３は、開口部６８に対向して収納部５３の長さ方向一端部６６の中央部に設けられた、使用者の指を挿入してコンパクトデジタルカメラ６７を開口部方向に向かって押しうる全体略長方形状の穴部６９a及び、長さ方向一端部６６の両端部に設けられた穴部６９b，６９cを有している。
【００４８】
したがって、収納部５３から、収納部５３の中で密接に収納されうるように収納されているコンパクトデジタルカメラ６７を取り出す場合、穴部６９a，６９b，６９cから指を挿入してコンパクトデジタルカメラ６７を開口部方向へ押し上げ、開口部６８からコンパクトデジタルカメラ６７を現出させることで、コンパクトデジタルカメラ６７を手で引き抜くことができる。
【００４９】
その結果、収納部５３が、収納されたコンパクトデジタルカメラ６７との間で余り空隙部が形成されない状態で収納しうる程度の大きさに形成されていた場合であっても、煩雑な作業を回避し、素早く簡単に収納部５３からコンパクトデジタルカメラ６７を取り出すことができる。
【００５０】
図４に示すように、本実施の形態に係る財布５０の収納部５３には、収納部５３の厚さ方向一端部側の内側面部７０に、開口部６８を開閉可能に被覆する全体略舌状のフラップ部７１が設けられている。
【００５１】
また、図４乃至図６に示すように、本実施の形態に係る財布５０の収納部５３には、収納部５３の厚さ方向他端部側の外側面部７２に係合片部７３が設けられ、フラップ部７１の長さ方向一端部７４に係合部７５が設けられている。
【００５２】
したがって、収納部５３にコンパクトデジタルカメラ６７が収納されている場合、収納部５３の開口部６８をフラップ部７１で被覆し、係合片部７３と係合部７５を係合させることで、コンパクトデジタルカメラ６７が収納部５３から飛びだすことを防ぐことができる。
【００５３】
また、本実施の形態に係る財布５０は、札入れ部５１に貨幣や紙幣またはカードを収納することができると共に、収納部５３にコンパクトデジタルカメラ６７を出し入れすることができる。
【産業上の利用可能性】
【００５４】
本考案は、急な用件で素早く取り出さなくてはならない場合や、利き手以外の手などで取り出しにくい状況であっても、収納部から収納物を素早く簡単に取り出すことができるよう財布に広く適用することができるため、産業上の利用可能性を備えている。
【符号の説明】
【００５５】
１０ 財布 
１１ 札入れ部
１２ 厚さ方向側面部
１３ 収納部
１４ 札入れ部本体
１５ 長辺部
１６ 短辺部
１７ 線ファスナー
１８ 被覆部
１８a 側方被覆部
１９ 開口部
２０ 線ファスナー
２１ 貨幣収納部
２２ 第一の紙幣収納部
２３ 第二の紙幣収納部
２４a 側板部
２４b 側板部
２５ カード用複数収納部
２６ 携帯電話機
２７ 開口部
２８ 幅方向一端部
２９a 穴部 
２９b 穴部
２９c 穴部
３０ 内側面部
３１ フラップ部
３２ 外側面部
３３ 係合片部
３４ 幅方向一端部
３５ 係合部
５０ 財布
５１ 札入れ部
５２ 厚さ方向側面部
５３ 収納部
５４ 札入れ部本体
５５ 長辺部
５６a 一方の短辺部
５６b 他方の短辺部
５７ 線ファスナー
５８ 被覆部
５８a 側方被覆部
５９ 開口部
６０ 線ファスナー
６１ 貨幣収納部
６２ 第一の紙幣収納部
６３ 第二の紙幣収納部
６４a 側板部
６４b 側板部
６５ カード用複数収納部
６６ 長さ方向一端部
６７ コンパクトデジタルカメラ
６８ 開口部
６９a 穴部
６９b 穴部
６９c 穴部
７０ 内側面部
７１ フラップ部
７２ 外側面部
７３ 係合片部
７４ 長さ方向一端部
７５ 係合部
【図１】
0003184575.tif 000003
【図２】
0003184575.tif 000004
【図３】
0003184575.tif 000005
【図４】
0003184575.tif 000006
【図５】
0003184575.tif 000007
【図６】
0003184575.tif 000008